(57)【要約】【課題】  網目の大きさに左右されず、大きさの異なる魚介類を等しく捉えることのできる漁獲作用と、こうして捉えた魚介類を容易に網地から取り外すことのできる離網作用との両立を図る刺し網に好適な二重刺し網を提供する。【解決手段】  独立した別体の第１網地１及び第２網地２からなり、第１網地１の第１網目11を形成する糸12,13と第２網地２の第２網目21を形成する糸22,23とを互い違いに交差させ、この第１網地１及び第２網地２を絡ませて一体にした二重網であり、これにより二重刺し網３等を構成する。【選択図】  図１
2005185125.tif 000002
【特許請求の範囲】
【請求項１】
独立した別体の第１網地及び第２網地からなり、第１網地の第１網目を形成する糸と第２網地の第２網目を形成する糸とを互い違いに交差させ、該第１網地及び第２網地を絡ませて一体にしてなる二重網。
【請求項２】
第１網地は第１縦糸及び第１横糸からなる結節網地であり、前記第１縦糸及び第１横糸の一方又は双方と、第２網地の第２網目を形成する糸とを互い違いに交差させ、第１網地及び第２網地を絡ませて一体にしてなる請求項１記載の二重網。
【請求項３】
第２網地は第２縦糸及び第２横糸からなる結節網地であり、前記第２縦糸及び第２横糸の一方又は双方と、第１網地の第１網目を形成する糸とを互い違いに交差させ、第１網地及び第２網地を絡ませて一体にしてなる請求項１記載の二重網。
【請求項４】
第１網地は第１縦糸及び第１横糸からなる結節網地、第２網地は第２縦糸及び第２横糸からなる結節網地であり、前記第１縦糸及び第１横糸の一方又は双方と、第１縦糸及び第１横糸の一方又は双方とを互い違いに交差させ、第１網地及び第２網地を絡ませて一体にしてなる請求項１記載の二重網。
【請求項５】
第１網地は第２網地の第２網目を形成する糸と異なる種類の糸により第１網目を形成する請求項１記載の二重網。
【請求項６】
第１網地は第２網地の第２網目を形成する糸と異なる太さの糸により第１網目を有する請求項１記載の二重網。
【請求項７】
第１網地は第２網地の第２網目を形成する糸と異なる色の糸により第１網目を形成する請求項１記載の二重網。
【請求項８】
第１網地は第２網地の第２網目に等しい大きさの第１網目を有する請求項１記載の二重網。
【請求項９】
第１網地は第２網地の第２網目より大きい第１網目を有する請求項１記載の二重網。
【請求項１０】
第１網地は第２網地の第２網目より小さい第１網目を有する請求項１記載の二重網。
【請求項１１】
繰り出す多数の横糸の隣り合う横糸間を糸振りにより蛇行させた縦糸を前記隣り合う横糸それぞれと互い違いに結節して結節網地を編む製網装置を用い、１本おきに交互に並べた第１横糸及び第２横糸を繰り出しながら、第２横糸を跨ぎながら第１横糸間を蛇行させた第１縦糸を各第１横糸と結節して結節網地である第１網地を、第１横糸を跨ぎながら第２横糸間を蛇行させた第２縦糸を各第２横糸と結節して結節網地である第２網地をそれぞれ編むことにより、第１網地の第１縦糸を第２網地の第２横糸と互い違いに交差させ、第２網地の第２縦糸を第１網地の第１横糸と互い違いに交差させ、該第１網地及び第２網地を絡ませて一体にした二重網を得る二重網の製網方法。
【請求項１２】
第１縦糸及び第２縦糸は１本おきに交互に等間隔で糸振りに挿通し、同じく１本おきに交互に等間隔で並べた第１横糸又は第２横糸の該第１横糸及び第２横糸の並び間隔の２倍で前記糸振りを左右に往復移動させ、第１網地の第１縦糸を第２網地の第２横糸と互い違いに交差させ、第２網地の第２縦糸を第１網地の第１横糸と互い違いに交差させる請求項８記載の二重網の製網方法。
【請求項１３】
駆動源から生み出された回転動力によりカムを回転運動させ、該カムの起伏に従ってロッドを揺動運動させ、該ロッドの揺動運動により縦糸を挿通する糸振りを所定往復範囲で往復運動させる糸振り揺動手段を有する製網装置において、糸振りは１本おきに交互に並べて第１横糸及び第２横糸を挿通する挿通孔を等間隔に開口してなり、第１縦糸が隣り合う第２横糸を跨いで第１横糸間を蛇行させ、かつ第２縦糸が隣り合う第１横糸を跨いで第２横糸間を蛇行させるため、カムの起伏を大きくしてロッドの揺動幅を大きくし、糸振りの所定往復範囲を挿通孔の並び間隔の２倍にしたことを特徴とする製網装置。
【請求項１４】
駆動源から生み出された回転動力によりカムを回転運動させ、該カムの起伏に従ってロッドを揺動運動させ、該ロッドの揺動運動により縦糸を挿通する糸振りを所定往復範囲で往復運動させる糸振り揺動手段を有する製網装置において、糸振りは１本おきに交互に並べて第１横糸及び第２横糸を挿通する挿通孔を等間隔に開口してなり、第１縦糸が隣り合う第２横糸を跨いで第１横糸間を蛇行させ、かつ第２縦糸が隣り合う第１横糸を跨いで第２横糸間を蛇行させるため、ロッドの支点を調節して該ロッドの揺動幅を大きくし、糸振りの所定往復範囲を挿通孔の並び間隔の２倍にしたことを特徴とする製網装置。
【発明の詳細な説明】
【技術分野】
【０００１】
本発明は、一対の網地が各網目で相互に入れ組み、一体となった二重網と、この二重網の製網方法及び製網装置に関する。
【背景技術】
【０００２】
魚介類の遊泳軌道を横断するように張り、魚介類(マイワシ、 ブリ類、ヒラメ、カレイ類、タラ類、タイ類、カニ類、クルマエビ、サザエ等)を網目に絡ませて漁獲する漁法(底刺し網、浮き刺し網等)に用いる刺し網は、網地を１枚とする構成を基本としながら、特許文献１〜５に見られるように、網目の大きさが異なる網地を積層する二重刺し網又は三重刺し網も見られる。これら二重刺し網又は三重刺し網は、基本網地(身網、特許文献１)に対して網目の大きな添え網地(添網)を断続的に連結する構成で、添え網地を抜けた魚介類が基本網地に気付いて急速反転する等して両網地にわたって絡まることで、魚介類を捉える働き(以下、漁獲作用)を高めている。
【０００３】
また、前記二重刺し網又は三重刺し網と同様な漁獲作用の向上を図るものとして、特許文献６に見られるように、一重の網地に適当な長さの遊び半目を結着した纏落網がある。特許文献６は、纏落網についてであるが、刺し網についても同様の作用又は効果、すなわち網地使用量の節約と損傷防止効果が得られる旨が明示されている。
【０００４】
【特許文献１】特公昭34-008382号公報(１〜２頁、第１図及び第２図)
【特許文献２】実公昭35-031654号公報(１頁、第１図及び第２図)
【特許文献３】実公昭35-031567号公報(１頁、第１図及び第２図)
【特許文献４】実公昭38-004975号公報(１頁、第１図〜第３図)
【特許文献５】実公昭38-004976号公報(１頁、第１図〜第５図)
【特許文献６】特公昭36-008676号公報(１頁、第１図〜第３図)
【発明の開示】
【発明が解決しようとする課題】
【０００５】
二重刺し網又は三重刺し網は、基本的な一重の刺し網より漁獲作用が高いが、いずれも主として魚介類に絡まる網地は基本網地である。これから、漁獲できる魚介類の大きさは、基本網地の網目の大きさに左右されることになる。また、仮に基本網地及び添え網地がそれぞれ等価に魚介類と絡まるとすれば、前記絡み具合は複雑なものとなり、今度は漁獲した魚介類を取り外すこと(以下、離網作用)が難しくなる。
【０００６】
これから、魚介類を確実に漁獲するために魚介類を網地に絡ませる漁獲作用と、絡ませた魚介類を網地から取り外す離網作用とは、相反する作用を刺し網に要求しているかのように見える。しかしながら、この相反する要求を兼ね備えた刺し網が最も好ましいことは、明らかである。そこで、網目の大きさに左右されず、大きさの異なる魚介類を等しく捉えることのできる漁獲作用と、こうして捉えた魚介類を容易に網地から取り外すことのできる離網作用との両立を図る刺し網に好適な二重網を開発するため、検討した。
【課題を解決するための手段】
【０００７】
検討の結果、開発したものが、独立した別体の第１網地及び第２網地からなり、第１網地の第１網目を形成する糸と第２網地の第２網目を形成する糸とを互い違いに交差させ、この第１網地及び第２網地を絡ませて一体にした二重網である。すなわち、本発明の二重網は、独立した別体の第１網地及び第２網地を別々に製網し、製網後に重ね合わせるのではなく、製網段階で互いの網目を形成する糸を予め互い違いに交差させて絡まった状態の二重網を提供する。
【０００８】
本発明の二重網は、例えば平面状に展開した無結節網地である第１網地及び第２網地の各第１網目及び第２網目を形成する糸を互い違いに潜らせた状態で、結節部相当部位を相互に接着又は溶着して、製網できる。しかし、漁網として使用する場合、結節部の強度の観点から、少なくとも一方の網地は結節網であることが望ましい。すなわち、本発明の二重網は、第１網地は第１縦糸及び第１横糸からなる結節網地であり、前記第１縦糸及び第１横糸の一方又は双方と、第２網地の第２網目を形成する糸とを互い違いに交差させ、第１網地及び第２網地を絡ませて一体にする、又は第２網地は第２縦糸及び第２横糸からなる結節網地であり、前記第２縦糸及び第２横糸の一方又は双方と、第１網地の第１網目を形成する糸とを互い違いに交差させ、第１網地及び第２網地を絡ませて一体にする。結節部は、従来公知の蛙又等を用いることができる。
【０００９】
より好ましい本発明の二重網は、第１網地は第１縦糸及び第１横糸からなる結節網地、第２網地は第２縦糸及び第２横糸からなる結節網地であり、前記第１縦糸及び第１横糸の一方又は双方と、第１縦糸及び第１横糸の一方又は双方とを互い違いに交差させ、第１網地及び第２網地を絡ませて一体にする構成である。この場合、既存の結節網地を製網する製網装置を利用でき、しかも製網手順に大きな変更を加えることなく、容易に本発明の二重網を製網できるようになる利点がある。
【００１０】
本発明の二重網は、第１網地の第１網目を形成する糸と、第２網地の第２網目を形成する糸とを互い違いにして一体とする点に特徴があるが、第１網地及び第２網地は、それぞれ独立した網地である点にも特徴がある。これから、各網地は相手となる網地とは無関係に、使用する糸の種類(素材)、太さ又は色等を設定でき、同仕様の第１網地及び第２網地からなる本発明の二重網のほか、異なる仕様の第１網地及び第２網地からなる本発明の二重網を構成することもできる。具体的には、(1)第１網地は第２網地の第２網目を形成する糸と異なる種類(異なる素材)の糸により第１網目を形成する二重網、(2)第１網地は第２網地の第２網目を形成する糸と異なる太さの糸により第１網目を有する二重網、又は(3)第１網地は第２網地の第２網目を形成する糸と異なる色の糸により第１網目を形成する二重網を例示できる。第１網地及び第２網地に使用する各糸の種類又は太さの違いは、各網地の強度の差や耐久性の差をもたらす。また、第１網地及び第２網地に使用する各糸の色の違いは、視認性の違いをもたらす。
【００１１】
上記糸の種類、太さ又は色は、(a)第１網地は第２網地の第２網目に等しい大きさの第１網目を有する二重網の場合、第１網地及び第２網地には主従がないため、二重網の使用目的又は要求等により、適宜選択して組み合わせるとよい。これに対し、(b)第１網地は第２網地の第２網目より大きい第１網目を有する二重網や、 (c)第１網地は第２網地の第２網目より小さい第１網目を有する二重網も考えられる。両網地が共に結節網地である場合、仕上げ処理である熱セットに際して各網地にかける引張り力に差を設けることで、収縮率に差をもたらし、網目の大きさが異なる第１網地及び第２網地を構成できる。このように網目の大きさが異なる二重網は、第１網目及び第２網目の相対的な大きさの違いから、主従の関係が考えられ、例えば主たる網地に使用する糸を太くしたり、強度を高めたり、材質を特殊なものにすることが考えられる。いずれにせよ、本発明の二重網は、互いに絡まって一体になっているものの、第１網地及び第２網地はそれぞれ独立した網地であることにより、自由な糸の選択ができる利点がある。
【００１２】
本発明の二重網の特徴の一つとして、既存の製網装置を利用して容易に製網できる点にある。具体的には、繰り出す多数の横糸の隣り合う横糸間を糸振りにより蛇行させた縦糸を前記隣り合う横糸それぞれと互い違いに結節して結節網地を編む製網装置を用い、１本おきに交互に並べた第１横糸及び第２横糸を繰り出しながら、第２横糸を跨ぎながら第１横糸間を蛇行させた第１縦糸を各第１横糸と結節して結節網地である第１網地を、第１横糸を跨ぎながら第２横糸間を蛇行させた第２縦糸を各第２横糸と結節して結節網地である第２網地をそれぞれ編むことにより、第１網地の第１縦糸を第２網地の第２横糸と互い違いに交差させ、第２網地の第２縦糸を第１網地の第１横糸と互い違いに交差させ、この第１網地及び第２網地を絡ませて一体にした二重網を得る二重網の製網方法を用いる。
【００１３】
上記二重網の製網方法は、既存の結節部を有する網地を製網する製網装置を用いているため、第１網地及び第２網地共に結節網となる。本発明の製網方法は、第１網地の第１横糸が第２網地の第１横糸を跨ぎ、また第２網地の第２横糸が第１網地の第２横糸を跨ぐようにする。すなわち、従来隣り合う横糸の間隔で蛇行させていたのに対し、本発明では間に別の横糸を挟んで１本おきに横糸を蛇行させる点が異なる。こうした横糸の蛇行を実現するには、横糸を蛇行させる糸振りの往復距離を従来の２倍にすればよい。すなわち、第１縦糸及び第２縦糸は１本おきに交互に等間隔で糸振りに挿通し、同じく１本おきに交互に等間隔で並べた第１横糸又は第２横糸のこの第１横糸及び第２横糸の並び間隔の２倍で前記糸振りを左右に往復移動させ、第１網地の第１縦糸を第２網地の第２横糸と互い違いに交差させ、第２網地の第２縦糸を第１網地の第１横糸と互い違いに交差させる方法を用いる。糸振りの往復距離を２倍にするには、例えば糸振りを揺動運動により往復運動させるロッドの支点を調節したり、前記ロッドに揺動運動を伝達するカムの起伏を２倍にする等が考えられる。
【００１４】
上記カムの起伏やロッドの支点の調節は、既存の製網装置に対して容易に施すことができ、次のような装置構成となる。すなわち、駆動源から生み出された回転動力によりカムを回転運動させ、このカムの起伏に従ってロッドを揺動運動させ、このロッドの揺動運動により縦糸を挿通する糸振りを所定往復範囲で往復運動させる糸振り揺動手段を有する製網装置において、糸振りは１本おきに交互に並べて第１横糸及び第２横糸を挿通する挿通孔を等間隔に開口してなり、第１縦糸が隣り合う第２横糸を跨いで第１横糸間を蛇行させ、かつ第２縦糸が隣り合う第１横糸を跨いで第２横糸間を蛇行させるため、(a)カムの起伏を大きくしてロッドの揺動幅を大きくし、糸振りの所定往復範囲を挿通孔の並び間隔の２倍にした製網装置、又は(2)ロッドの支点を調節してこのロッドの揺動幅を大きくし、糸振りの所定往復範囲を挿通孔の並び間隔の２倍にした製網装置である。
【発明の効果】
【００１５】
本発明の二重網により、特に漁網として好適な二重刺し網を提供できるようになる。従来見られた二重刺し網は、別体の２枚の網地を単に積層しただけで、網目の大きさはそれぞれで固定であり、各網地の網目が互いに影響を与えることはない。これに対し、本発明の二重網による二重刺し網は、第１網地及び第２網地の第１網目及び第２網目が絡まった状態にあることから、各網地の相対的位置関係によって、大きさが変化する網目を構成することができる。例えば、第１網目及び第２網目の大きさが等しい場合、各網目を構成する糸が重なった状態で最大の網目となり、各網目を構成する糸が上下又は左右いずれか一方に半分ずれれば、各網目を構成する糸が交差する最小の網目を構成できる。これにより、魚介類は大きな網目に捕まり、暴れるうちに網目が締まることで捕獲される漁獲作用と、捕獲後に網目を広げて容易に魚介類を取り外すことのできる離網作用とを両立させた二重刺し網を提供できるようになる。
【００１６】
また、本発明の二重網は、別体の網地が絡まり、一体として使用しうる二重網でもあり、上述のように、大きさが等しい第１網目及び第２網目の各網目を構成する糸が重なった状態で張設することにより、補強された地上ネットとして利用しうる特徴をも有する。ここで、前記糸の重なった状態と同様な２本の糸で前記地上ネットを構成することも考えられるが、２本の糸で構成した地上ネットでは、網目毎に２本の糸の自由度が拘束され、可撓性に劣る地上ネットにしかならない。これに対し、本発明の二重網は、基本的には別体の第１網地及び第２網地から構成されるため、たとえ各網目で糸を重ねても、なお全体として網地相互は自由度があり、地上ネットとしての自由度は阻害されない。このように、本発明は、漁網として好適な二重刺し網を提供できるばかりでなく、地上ネットとしても好適な二重網を提供できる効果を有する。
【発明を実施するための最良の形態】
【００１７】
以下、本発明の実施形態について図を参照しながら説明する。図１は本発明に基づく二重網により二重刺し網３を構成した一例を表した平面図、図２は前記二重刺し網３の一部を拡大した部分拡大斜視図、図３は各網目11,21を構成する糸12,13,22,23を重ねて最大の網目Ｓmaxを形成した状態を表した図１相当平面図、図４は本発明に基づく二重網により地上ネット４を構成した一例を表した正面図であり、図５は既存の製網装置５を用いて本発明の二重網の製網を実現する例を説明する製網装置５の部分抜粋図である。図１では、交差する糸の下側の方を上側の糸に対して陰線処理(交差部分を一部切断)して、図示上糸相互の交差関係を分かりやすくしている。本例以下は、同一素材、同一太さの糸を第１縦糸12、第１横糸13、第２縦糸22及び第２横糸23に使用し、第１網目11及び第２網目21の大きさを同一にした第１網地１及び第２網地２からなる例を用いている。
【００１８】
本発明の二重網は、図１に見られるように、外観上１枚の網地からなるように見えるが、実際には別体の第１網地１及び第２網地２とが絡まった構成である。具体的には、図２に見られるように、例えば第１網地１の第１網目11を構成する第１縦糸12が第２網地２の第２網目21の第２横糸23を上方から跨ぎ、前記第１網目11を構成する第１横糸13が前記第２網地２の第２網目21の第２縦糸22を下方から潜るように、各網目11,21を構成する糸12,13,22,23が互い違いに交差することで、第１網地１及び第２網地２が網目単位で絡まった状態にある(図２中第１網地は太線で図示)。しかし、第１網地１及び第２網地２はあくまで互いに別体であり、単に相互の糸12,13,22,23が交互に交差しているだけなので、互いに自由状態にあり、第１網目11及び第２網目21の重なり具合は変化する。
【００１９】
こうした各網目での絡み合いを除けば、各網地１,２は独立しており、各網地１,２の構造は、既存の網地と変わらない。本例の二重刺し網３で言えば、第１網地１は、第１縦糸12及び第１縦糸13が、例えば蛙又等の第１結節部14により結びつけられて第１網目11を構成し、両側を第１耳糸25,25で揃え、第１上縁16を浮子索31に、そして第１下縁17を沈子索32にそれぞれ接続している。第２網地２は、第２縦糸22及び第２横糸23が、例えば蛙又等の第２結節部24により結びつけられて第２網目21を構成し、両側を第２耳糸25,25で揃え、第２上縁26を浮子索31に、そして第２下縁27を沈子索32にそれぞれ接続している。本例では、後述する既存の製網装置５を利用して第１網地１及び第２網地２を絡ませながら同時に製網していくことから、第１網目11及び第２網目21は同じ大きさ(各結節部14,24からの脚の長さが同じ)で、第１結節部14及び第２結節部24は同じ仕様(例えば同じ蛙又)になっている。ここで、仕上げ処理である熱セットに際する各網地１,２にかける引張り力に差を設ければ、各網地１,２の収縮率が異なり、各網目11,21の大きさを異ならせることができる。
【００２０】
第１網地１及び第２網地２が一体の二重刺し網３として構成する場合、浮子索及び沈子索を別体にすることもできるが、本例のように共通にしながら第１耳糸15,15及び第２耳糸25,25を別にしておけば、なお第１網地１及び第２網地２は相互に自由状態を保つ。これにより、第１網目11及び第２網目21の位置関係が変化し、実際に魚介類を捕獲する網目の大きさを変化させることができる。例えば、図１に示した状態は、第１網地１及び第２網地２の各網目11,21の第１結節部14又は第２結節部24が丁度互いの網目11,21の中間に位置する状態、すなわち最小の網目Ｓmin(図１中Ａ矢視部)を形成している (図示の便宜上、各網目11,21はわずかにずらして描いている)。本例の第１網目１及び第２網目２は同じ大きさであるから、前記最小の網目Ｓminは第１網目11又は第２網目21の大きさの１/４(一辺が１/２であるため、面積は１/４)である。これに対し、各網目11,21を構成する糸12,13,22,23が互いに重なると、図３に見られるように、第１網目11又は第２網目21に略等しい最大の網目Ｓmax(図３中Ｂ矢視部)を形成できる。通常、刺し網では、漁獲対象となる魚介類の種類、大きさに合わせて網目の大きさを決定し、網目の大きさは固定である。このため、多種多様な魚介類に合わせて多数の刺し網が必要になる。本発明の二重網による二重刺し網３は、実際に魚介類を捕獲する網目Ｓmax,Ｓminの大きさを変化させることができるため、漁獲対象となる魚介類の大きさが多少変わっても、同様な漁獲作用を発揮できる。このように、本発明の二重網は、漁獲対象を広げた二重刺し網３を提供する。
【００２１】
また、上記例示の第１網地１及び第２網地２における四辺、すなわち各耳糸15,25、各上縁16,26及び各下縁17,27をすべて共通にして縁布41で一体化し、図４に見られるようにポール42,42間に張設すれば、互いに絡まった第１網地１及び第２網地２が１枚の平面で重なった地上ネット４を構成できる。このとき、第１網地１及び第２網地２が、最小の網目Ｓmin(図１参照)を形成する関係にあれば、各網地１,２の第１網目11及び第２網目21を大きくしながらも、全体として小さな網目を有する地上ネット４にできる。逆に最大の網目Ｓmax(図３参照)を形成すれば、第１網地１及び第２網地２の各糸12,13,22,23が重なり合い、互いに補強し合う関係にできる。ここで、本発明の二重網を用いた地上ネット４の特徴は、互いに絡まりながらも相互に独立した第１網地１及び第２網地２からなる点にある。このため、障害物が衝突した際にも、各網地１,２がそれぞれに最大限変形できるため、障害物を受け止めやすく、また各網地１,２が互いを補強し合うので、障害物の衝突によっても破れにくくできる。このように、本発明の二重網は、従来と異なり、柔軟ながら破れにくい地上ネット４を提供する。
【００２２】
本例の二重網を構成する第１網地１及び第２網地２は、それぞれ第１結節部14、第２結節部24を有する構成である。こうした結節部14,24を有する第１網地１及び第２網地２からなる二重網は、図５に見られるように、既存の製網装置５を利用して簡易に製網できる。具体的には、第１縦糸12及び第２縦糸22を１本おきに配して、多数の巻鈎51及び三角歯52に沿って延在する糸振り53へ横並びでそれぞれ挿通孔54に挿通し、互いの縦糸12,22を跨ぐように１本おきに蛇行させることで、第１網目11及び第２網目21それぞれを構成する糸、具体的には第１縦糸12と第２横糸23、そして第１横糸13と第２縦糸22とが互いに交差し、第１網地１及び第２網地２が絡まった二重網となる。この既存の製網装置５を利用した本発明の二重網の製網では、第１網地１及び第２網地２の各網目11,21の大きさは等しく、また各網目11,21の結節部14,24は同じ種類、例えば同じ蛙又となる。しかし、製網手順は従来同様であるため、製網コストの上昇を招くことなく、本発明の二重網を容易に製網できる利点がある。
【００２３】
第１縦糸12及び第２縦糸22の蛇行は、糸振り53の往復運動に従うため、上記製網方法によれば、糸振り53の往復範囲を従来の２倍にすればよいことがわかる。従来多くの製網装置５は、駆動源55から生み出された回転動力によりカム56を回転運動させ、このカム56の起伏に従ってロッド57を揺動運動させ、このロッド57の揺動運動により糸振り53を所定往復範囲で往復運動させる糸振り揺動手段58を構成している。これから、例えばカム56の起伏561を２倍にしたり、ロッド57の支点571を調節してロッドの揺動幅を大きくすると、容易に糸振り53の所定往復範囲を２倍にできる。こうした既存の製網装置５の改造は、大幅な装置改造を伴わないので、本発明の二重網を製網するために必要となる設備コストを低廉に抑えることができる。また、こうして小改造を施した既存の製網装置５を利用した二重網の製網は、製網手順そのものが従来と同じであるため、製網コストは変わらないから、本発明の二重網の製網に要するコストを最小限に抑えることができる。
【図面の簡単な説明】
【００２４】
【図１】本発明に基づく二重網により二重刺し網を構成した一例を表した平面図である。
【図２】二重刺し網の一部を拡大した部分拡大斜視図である。
【図３】各網目を構成する糸を重ねて最大の網目を形成した状態を表した図１相当平面図である。
【図４】本発明に基づく二重網により地上ネットを構成した一例を表した正面図である。
【図５】既存の製網装置を用いて本発明の二重網の製網を実現する例を説明する製網装置の部分抜粋図である。
【符号の説明】
【００２５】
１  第１網地
11  第１網目
12  第１縦糸
13  第１横糸
２  第２網地
21  第２網目
22  第２縦糸
23  第２横糸
３  二重刺し網
４  地上ネット
５  製網装置
51  巻鈎
52  三角歯
53  糸振り
Ｓmax  最大の網目
Ｓmin  最小の網目
【図１】
2005185125.tif 000003
【図２】
2005185125.tif 000004
【図３】
2005185125.tif 000005
【図４】
2005185125.tif 000006
【図５】
2005185125.tif 000007